(57)【要約】【課題】スクリーンと同一平面上に固定可能で、かつ鑑賞者とスクリーンとの位置関係から画像を左右反転させるか否かを自動で切替可能なプロジェクタを提供する。【解決手段】装置本体３内に収容され、前記装置本体３を設置する設置面Ｇと略同一面上に画像を投影する投影部６と、前記装置本体３内に収容され、前記投影部６により投影される前記画像を鑑賞する人物を撮像する撮像部１４と、前記撮像部１４による撮像結果に基づいて、前記投影部６から投影する前記画像を左右反転させるか否かを切り替える切替部４とを備える。【選択図】  図１
2011186097.tif 000002
【特許請求の範囲】
【請求項１】
装置本体内に収容され、前記装置本体を設置する設置面と略同一面上に画像を投影する投影部と、
前記装置本体内に収容され、前記投影部により投影される前記画像を鑑賞する人物を撮像する撮像部と、
前記撮像部による撮像結果に基づいて、前記投影部から投影する前記画像を左右反転させるか否かを切り替える切替部と、
を備えることを特徴とするプロジェクタ。
【請求項２】
前記切替部は、前記撮像部により前記人物が撮像される場合には、前記画像を左右反転させないことを特徴とする請求項１記載のプロジェクタ。
【請求項３】
前記撮像部により撮像した前記人物の顔の向きに基づいて、前記画像を回転させる回転部を更に備えることを特徴とする請求項１記載のプロジェクタ。
【請求項４】
前記切替部は、前記撮像部により人物が撮像されない場合には、前記画像を左右反転させることを特徴とする請求項１記載のプロジェクタ。
【請求項５】
前記設置面に設置された装置本体の傾きを検出する検出部を更に備え、
前記検出部による検出結果に基づいて、前記画像を回転させる回転部を更に備えることを特徴とする請求項４記載のプロジェクタ。
【請求項６】
前記撮像部は、前記検出部により前記設置面が略水平であると検出された場合には、前記人物の撮像を停止することを特徴とする請求項５記載のプロジェクタ。
【請求項７】
装置本体内に収容され、前記装置本体を設置する略水平な設置面と略同一面上に画像を投影する投影部と、
前記設置面が上方向を向いた面であるか、下方向を向いた面であるかを検出する検出部と、
前記検出部による検出結果に基づいて、前記投影部から投影する前記画像を左右反転させるか否かを切り替える切替部と、
を備えることを特徴とするプロジェクタ。
【請求項８】
前記切替部は、前記検出部により前記設置面が上方向を向いた面であることが検出された場合には、前記画像を左右反転させないことを特徴とする請求項７記載のプロジェクタ。
【請求項９】
前記切替部は、前記検出部により前記設置面が下方向を向いた面であることが検出された場合には、前記画像を左右反転させることを特徴とする請求項７記載のプロジェクタ。
【請求項１０】
装置本体内に収容され、前記装置本体を設置する設置面と略同一面上に画像を投影する投影部と、
前記設置面側の明るさを検出する明るさ検出部と、
前記明るさ検出部による検出結果に基づいて、前記投影部から投影する前記画像を左右反転させるか否かを切り替える切替部と、
を備えることを特徴とするプロジェクタ。
【請求項１１】
前記切替部は、前記明るさ検出部により前記明るさが所定値より低いと検出された場合には、前記画像を左右反転させないことを特徴とする請求項１０記載のプロジェクタ。
【請求項１２】
前記設置面に前記装置本体を固定する固定部を備えることを特徴とする請求項１〜請求項１１の何れか一項に記載のプロジェクタ。
【発明の詳細な説明】
【技術分野】
【０００１】
本発明は、プロジェクタに関するものである。
【背景技術】
【０００２】
設置基準面である底面部を被投影面（スクリーン）に固定し、画像を設置基準面と同一平面であるスクリーンに投影する画像投影装置が提案されている（例えば、特許文献１参照）。
【先行技術文献】
【特許文献】
【０００３】
【特許文献１】特開２００４−８５７５２号公報
【発明の概要】
【発明が解決しようとする課題】
【０００４】
ところで、透過型スクリーンに画像を投影する場合には画像を左右反転させて投影し、反射型スクリーンに画像を投影する場合には画像を左右反転させることなく投影する必要がある。
【０００５】
本発明の目的は、スクリーンと同一平面上に固定可能で、かつ鑑賞者とスクリーンとの位置関係から画像を左右反転させるか否かを自動で切替可能なプロジェクタを提供することである。
【課題を解決するための手段】
【０００６】
本発明のプロジェクタは、装置本体内に収容され、前記装置本体を設置する設置面と略同一面上に画像を投影する投影部と、前記装置本体内に収容され、前記投影部により投影される前記画像を鑑賞する人物を撮像する撮像部と、前記撮像部による撮像結果に基づいて、前記投影部から投影する前記画像を左右反転させるか否かを切り替える切替部とを備えることを特徴とする。
【０００７】
また、本発明のプロジェクタは、装置本体内に収容され、前記装置本体を設置する略水平な設置面と略同一面上に画像を投影する投影部と、前記設置面が上方向を向いた面であるか、下方向を向いた面であるかを検出する検出部と、前記検出部による検出結果に基づいて、前記投影部から投影する前記画像を左右反転させるか否かを切り替える切替部とを備えることを特徴とする。
【０００８】
また、本発明のプロジェクタは、装置本体内に収容され、前記装置本体を設置する設置面と略同一面上に画像を投影する投影部と、前記設置面側の明るさを検出する明るさ検出部と、前記明るさ検出部による検出結果に基づいて、前記投影部から投影する前記画像を左右反転させるか否かを切り替える切替部とを備えることを特徴とする。
【発明の効果】
【０００９】
本発明のプロジェクタによれば、スクリーンと同一平面上に固定することができ、かつ鑑賞者とスクリーンとの位置関係から画像を左右反転させるか否かを自動で切り替えることができる。
【図面の簡単な説明】
【００１０】
【図１】第１の実施の形態に係るプロジェクタのシステム構成を示すブロック図である。
【図２】第１の実施の形態に係るプロジェクタユニットの構成を示す断面図である。
【図３】第１の実施の形態に係るプロジェクタによりスクリーン上の投影領域に投影画像を投影する際の処理について説明するためのフローチャートである。
【図４】プロジェクタ、スクリーン及び鑑賞者の位置関係を示す図である。
【図５】プロジェクタ、スクリーン及び鑑賞者の位置関係を示す図である。
【図６】プロジェクタ、スクリーン及び鑑賞者の位置関係を示す図である。
【図７】プロジェクタに設けられた加速度センサの加速度検出軸の方向を示す図である。
【図８】プロジェクタ、スクリーン及び鑑賞者の位置関係を示す図である。
【図９】プロジェクタ、スクリーン及び鑑賞者の位置関係を示す図である。
【発明を実施するための形態】
【００１１】
以下、図面を参照して、本発明の第１の実施の形態に係るプロジェクタについて説明する。図１は、第１の実施の形態に係るプロジェクタのシステム構成を示すブロック図である。プロジェクタ２の筐体（装置本体）３内には、ＣＰＵ４、投影画像を投影するプロジェクタユニット６、電源スイッチ８、投影画像の画像データを記憶する画像記憶部１０、プロジェクタユニット６や撮像部１４等に電源の供給を行うバッテリ１２、撮影レンズ１８を介した被写体からの光を撮像する撮像部１４及び撮像部１４による撮像結果に基づいてＬＣＯＳ３０（図２参照）に表示する投影画像に対して後述する左右反転等の処理を行う画像処理部１６が収容されている。なお、筐体３の底面３ａは、机上等の水平面に対して略垂直方向に設置されるスクリーンＧ上に固定され、プロジェクタ２（プロジェクタユニット６）は、筐体３の底面３ａと略同一平面であるスクリーンＧ上の投影領域Ｒに投影画像の投影を行う。
【００１２】
図２は実施の形態に係るプロジェクタユニット６の構成を示す断面図である。光源であるＬＥＤ（発光ダイオード）２４から射出された光は、集光レンズ２６により略平行とされ、ＰＢＳ（偏光ビームスプリッタ）２８に入射する。例えば、図２に示すようにＰＢＳ２８に入射光の進行方向に対して４５°の角度で設けられた偏光分離膜２８ａがＰ偏光光のみを透過する場合には、ＬＣＯＳ３０にＰ偏光光のみが入射する。ここで、ＬＣＯＳ３０の図示しない液晶層は、電圧が印加されると入射光に対して位相板として機能する。即ち、ＬＣＯＳ３０の図示しない液晶層のうち電圧が印加された画素領域を透過した光はＰ偏光からＳ偏光に変換され、電圧が印加されていない画素領域を透過した光はＰ偏光のまま進行する。
【００１３】
そして、ＬＣＯＳ３０に入射した光は、ＬＣＯＳ３０により反射され、ＰＢＳ２８に再度入射する。Ｐ偏光とＳ偏光との混合光としてＰＢＳ２８に再度入射した光のうち、ＬＣＯＳ３０の電圧が印加された画素領域を透過したＳ偏光の光のみが偏光分離膜２８ａで反射され、Ｐ偏光と分離される。当該Ｓ偏光光は、ＰＢＳ２８から上方へ向かって射出された後に、投影画像を投影するための投影レンズ３２及び投影レンズ３２から射出された投影画像の投影方向を偏向させる投影ミラー３４を介して投影窓３６（図１参照）からスクリーンＧ上に投影される。
【００１４】
ここで、投影ミラー３４は投影面に投影される画像に対して台形補正を施すことができるように、所定の曲率を有する自由曲面ミラーから構成されている。また、本実施の形態に係るプロジェクタ２においては、プロジェクタ２をスクリーンＧに設置したときに、投影窓３６からスクリーンＧまでの画像の投影距離が一義的に定まるため、当該投影距離だけ離れた位置において投影領域Ｒに鮮明な投影画像を結像できるようにプロジェクタユニット６を構成する光学部材を所定の位置にあらかじめ固定しておくことができる。
【００１５】
この実施の形態では、図１に示すように撮像部１４は、プロジェクタ２の上面に設けられた撮像レンズ１８から入射した被写体からの光を撮像するため、プロジェクタ２を白板等の略垂直な面に設置し、白板等に画像の投影を行う場合には、撮像部１４により投影された画像を鑑賞している鑑賞者の方向を撮像する。そして、撮像部１４による撮像結果に基づいてプロジェクタユニット６から投影される投影画像を左右反転させるか否かを判別し、必要に応じて画像処理部１６において投影画像の左右反転処理を行う。また、撮像部１４により撮像した鑑賞者の顔の向きに基づいて投影画像を回転させるか否かを判別し、必要に応じて画像処理部１６において投影画像の回転処理を行う。以下、図３に示すフローチャートを参照して、第１の実施の形態に係るプロジェクタ２において投影画像を、略垂直な面であるスクリーンＧ上の投影領域Ｒに投影する際の処理について説明する。
【００１６】
まず、ＣＰＵ４は、プロジェクタ２の電源、即ち電源スイッチ８がオンされると（ステップＳ１０、Ｙｅｓ）、撮像部１４による撮像結果を取得する（ステップＳ１１）。例えば、図４に示すように、スクリーンＧが白板等の反射型スクリーンであって、スクリーンＧの表面（投影領域Ｒに投影される投影画像４０を鑑賞する鑑賞者Ａ〜Ｃが居る側）にプロジェクタ２（筐体３の底面３ａ）が固定されている場合には、撮影レンズ１８を介し撮像部１４により被写体として撮像されたテーブル４２の周りの鑑賞者Ａ〜Ｃの像を、撮像結果として取得する。一方、図５に示すように、略垂直な面であるスクリーンＧが透過型スクリーンであって、スクリーンＧの裏面にプロジェクタ２（筐体３の底面３ａ）が固定されている場合には、撮像部１４により鑑賞者Ａ〜Ｃの像は撮像されないため、撮影レンズ１８を介し撮像部１４により被写体として撮像された鑑賞者Ａ〜Ｃ以外の像を、撮像結果として取得する。
【００１７】
次に、ＣＰＵ４は、ステップＳ１１において取得した撮像結果から、撮像部１４により鑑賞者Ａ〜Ｃが撮像されているか否かを判別する（ステップＳ１２）。なお、プロジェクタ２においては、反射型スクリーン上に投影されるのに適した画像、即ち図４に示すようなフロント投射用の画像がＬＣＯＳ３０に表示されるように初期設定されている。したがって、図４に示すように、プロジェクタ２がスクリーンＧの表面に固定されており、撮像部１４により鑑賞者Ａ〜Ｃが撮像されていると判別された場合には（ステップＳ１２、Ｙｅｓ）、ＣＰＵ４は、投影領域Ｒに投影される投影画像４０、即ちＬＣＯＳ３０に表示させる画像（画像記憶部１０に記憶されている画像データに基づく画像）を左右反転させる処理を行わない。一方、図５に示すように、プロジェクタ２がスクリーンＧの裏面に固定されており、撮像部１４により鑑賞者Ａ〜Ｃが撮像されていないと判別された場合には（ステップＳ１２、Ｎｏ）、ＣＰＵ４は、投影領域Ｒに投影される投影画像４０、即ちＬＣＯＳ３０に表示させる画像（画像記憶部１０に記憶されている画像データに基づく画像）を左右反転させる処理を行うよう、画像処理部１６に対して指示する（ステップＳ１３）。画像処理部１６は、ＣＰＵ４の指示に従い、透過型スクリーン上に投影されるのに適した画像（図５に示すようなリア投射用の画像）がＬＣＯＳ３０に表示されるように画像を左右反転させる処理を行う。ステップＳ１３においてＬＣＯＳ３０に表示される画像を左右反転像に切り替えることにより、鑑賞者Ａ〜Ｃは、スクリーンＧ上に投影される投影画像４０を適切な状態（原画像が左右反転していない状態）で鑑賞することができる。
【００１８】
ステップＳ１２において撮像部１４により鑑賞者Ａ〜Ｃが撮像されていると判別された場合には（ステップＳ１２、Ｙｅｓ）、ＣＰＵ４は、撮像部１４により撮像した鑑賞者Ａ〜Ｃの顔の向きを検出する（ステップＳ１４）。具体的には、撮像部１４により撮像される鑑賞者Ａ〜Ｃの顔領域を認識し、目や口の位置等から鑑賞者Ａ〜Ｃが撮影画面に対して回転しているか否かを検出する。例えば、プロジェクタ２が位置Ｐ１（図４では実線で示すプロジェクタ２の位置）にあるとき、撮像部１４により撮像される鑑賞者Ａ〜Ｃの顔は撮影画面に対して傾き０であるのに対し、プロジェクタ２が位置Ｐ２（図４では一点鎖線で示すプロジェクタ２の位置）にあるとき、撮像部１４により撮像される鑑賞者Ａ〜Ｃの顔は撮影画面に対して９０度傾く。即ち、プロジェクタ２を位置Ｐ１から位置Ｐ２に反時計まわりに９０度回転させて固定したとき、撮像部１４により撮像される鑑賞者Ａ〜Ｃの顔も撮影画面に対して９０度回転する。したがって、ＣＰＵ４は、ステップＳ１４において撮像部１４により撮像される鑑賞者Ａ〜Ｃの顔の向きを検出することにより、プロジェクタ２がスクリーンＧに固定されている向きを検出することができる。
【００１９】
このように、撮像部１４により撮像した鑑賞者Ａ〜Ｃの顔の向きから、プロジェクタ２がどの位置に固定されているかを認識する。そして、鑑賞者Ａ〜ＣがスクリーンＧ上に投影される投影画像４０を適切な状態（原画像が回転していない状態）で鑑賞することができるように、ＬＣＯＳ３０に表示される画像（画像記憶部１０に記憶されている画像データに基づく画像）を回転させる処理を行う必要があるか否かを判別する（ステップＳ１５）。ステップＳ１５において回転処理する必要があると判別された場合には（ステップＳ１５、Ｙｅｓ）、撮像部１４により撮像した鑑賞者Ａ〜Ｃの顔の向きから回転量を算出し、ＬＣＯＳ３０に表示される画像を算出された回転量だけ回転させる処理を行うよう、画像処理部１６に対して指示する（ステップＳ１６）。例えば、プロジェクタ２が図４に示す位置Ｐ２に固定されている場合には、画像処理部１６は、ＣＰＵ４の指示に従い、ＬＣＯＳ３０に表示される画像を９０度回転させる処理を行う。
【００２０】
第１の実施の形態に係るプロジェクタ２によれば、水平面に対して略垂直方向に設置されるスクリーンＧと同一平面上に固定することができ、かつ撮像部１４による撮像結果に基づいて、ＬＣＯＳ３０に表示される画像を左右反転させるか否かを自動で切り替えることができる。また、撮像部１４による撮像結果に基づいてプロジェクタ２の向きを判別することができるため、ＬＣＯＳ３０に表示される画像を適切に自動で回転させることができる。
【００２１】
なお、第１の実施の形態に係るプロジェクタ２においては、撮像部１４により撮像した鑑賞者Ａ〜Ｃの顔の向きを検出し、検出結果に基づいてＬＣＯＳ３０に表示される画像を回転させる処理を行うか否かを判別しているが、撮像部１４により鑑賞者Ａ〜Ｃが撮像されていない場合においては、鑑賞者Ａ〜Ｃの顔の向きを検出することができない。即ち、プロジェクタ２がスクリーンＧの裏面に固定されている場合においては、撮像部１４により鑑賞者Ａ〜Ｃが撮像されないため、鑑賞者Ａ〜Ｃの顔の向きを検出することができず、例えば図６に示すように、プロジェクタ２が位置Ｐ３に固定されている場合と位置Ｐ４に固定されている場合とを区別することができない。即ち、プロジェクタ２が位置Ｐ３に固定されている場合には画像を回転させる必要がなく、位置Ｐ４に固定されている場合には画像を９０度回転させる必要がある等の判別を行うことができない。したがって、プロジェクタ２が位置Ｐ３に固定されている場合と位置Ｐ４に固定されている場合とを区別するために、投影領域Ｒに対して投影画像４０を投影する投影方向を検出するための加速度センサを追加して設けるとよい。
【００２２】
プロジェクタ２に加速度センサを設けた場合には、撮像部１４による撮像結果、及び加速度センサによる検出結果に基づいて、画像を左右反転させるか否か、画像を回転させるか否かを判別する。即ち、プロジェクタ２が図７に示すプロジェクタ２に対して設定されたＸ軸及びＹ軸方向の加速度を検出可能な加速度センサを備えているとする。ここで、プロジェクタ２が図６に示す位置Ｐ３に固定されたとき、プロジェクタ２の＋Ｘ軸方向はスクリーンＧ面に平行な水平左方向、プロジェクタ２の＋Ｙ軸方向は鉛直上方向となり、加速度センサによりＸ軸の加速度が０ｍ／ｓ２、Ｙ軸の加速度が−９．８ｍ／ｓ２と検出される。これに対し、プロジェクタ２が位置Ｐ４に固定されたとき、プロジェクタ２の＋Ｘ軸方向は鉛直下方向、プロジェクタ２の＋Ｙ軸方向はスクリーンＧ面に平行な水平左方向となり、加速度センサによりＸ軸の加速度が９．８ｍ／ｓ２、Ｙ軸の加速度が０ｍ／ｓ２と検出される。即ち、加速度センサの検出結果から、プロジェクタ２が設置されている向きを判別することができる。そして、ＣＰＵ４は、加速度センサの検出結果からプロジェクタ２が位置Ｐ４に固定されていると判別した場合には、ＬＣＯＳ３０に表示される画像を９０度回転させる処理を行うよう、画像処理部１６に対して指示し、画像処理部１６は、ＣＰＵ４の指示に従い、画像を９０度回転させる処理を行う。
【００２３】
また、第１の実施の形態においては、水平面に対して略垂直方向に設置されるスクリーンＧ上にプロジェクタ２を固定しているが、例えば図８に示すように、略水平面である机上等をスクリーンＧ２とし、スクリーンＧ２上にプロジェクタ２を固定し、スクリーンＧ２上の投影領域Ｒ２に投影画像４０の投影を行うこともできる。この場合には、撮影レンズ１８がプロジェクタ２の上面に設けられているため撮像部１４により鑑賞者Ａ〜Ｃが撮像されず、加速度センサによりＸ軸の加速度が０ｍ／ｓ２、Ｙ軸の加速度が０ｍ／ｓ２と検出されることから、ＣＰＵ４は、プロジェクタ２が机上等の略水平面上に固定されていると判断する。そして、ＣＰＵ４は、撮像部１４による撮像を行う必要がないと判断し、節電のため、撮像部１４による撮像を停止する。
【００２４】
次に、図面を参照して、本発明の第２の実施の形態に係るプロジェクタについて説明する。なお、第２の実施の形態に係るプロジェクタの構成については、第１の実施の形態に係るプロジェクタ２の構成（図１参照）から撮影レンズ１８を取り除き、撮像部１４に代えて加速度センサ（図７に示すＺ方向の加速度を検出可能な加速度センサ）を備えたものであるため、第１の実施の形態に係るプロジェクタ２と同一の構成についてはその説明を省略する。なおプロジェクタ２を水平面（上向きの面）に設置したときの鉛直上方向を＋Ｚ方向とする。また、第２の実施の形態に係るプロジェクタの機能や動作については、第１の実施の形態に係るプロジェクタ２の構成と同一の構成には同一の符号を用いてその説明を行う。
【００２５】
また、第２の実施の形態に係るプロジェクタにおいては、例えば図８または図９に示すように、筐体３の底面３ａが机上等の水平面に設置されるスクリーンＧ２の上（図８参照）またはスクリーンＧ２の下（スクリーンＧ２の裏面、図９参照）に固定されているものとして説明を行う。プロジェクタ２（プロジェクタユニット６）は、筐体３の底面３ａと略同一平面であるスクリーンＧ２上の投影領域Ｒ２に投影画像４０の投影を行う。そして、第２の実施の形態に係るプロジェクタに設けられている加速度センサは、投影領域Ｒ２に対して投影画像４０を上方向から（スクリーンＧ２の表面に）投影しているか下方向から（スクリーンＧ２の裏面に）投影しているかを検出する。
【００２６】
第２の実施の形態では、この加速度センサによる検出結果に基づいてプロジェクタユニット６から投影される投影画像４０を左右反転させるか否かを判別し、必要に応じて画像処理部１６において投影画像４０の左右反転処理を行う。以下、第２の実施の形態に係るプロジェクタにおいて投影画像４０をスクリーンＧ２上の投影領域Ｒ２に投影する際の処理について説明する。
【００２７】
まず、ＣＰＵ４は、電源スイッチ８がオンされると、加速度センサによる検出結果を取得する。例えば、図８に示すように、スクリーンＧ２が反射型スクリーンであって、スクリーンＧ２の上面（スクリーンＧ２に対して上方向）にプロジェクタ２（筐体３の底面３ａ）が固定されている場合には、加速度センサによりＺ軸の加速度が‐９．８ｍ／ｓ２と検出される。一方、図９に示すように、スクリーンＧ２が透過型スクリーンであって、スクリーンＧ２の下面（スクリーンＧ２に対して下方向）にプロジェクタ２（筐体３の底面３ａ）が固定されている場合には、加速度センサによりＺ軸の加速度が９．８ｍ／ｓ２と検出される。即ち、加速度センサの検出結果から、プロジェクタ２がスクリーンＧ２の上方向に固定されているか、下方向に固定されているかを判別することができる。
【００２８】
したがって、ＣＰＵ４は、反射型スクリーン上に投影されるのに適した画像、即ち図８に示すようなフロント投射用の画像がＬＣＯＳ３０に表示されるように初期設定されているため、図８に示すように、プロジェクタ２がスクリーンＧ２の上方向に固定されていると判別された場合には、投影領域Ｒ２に投影される投影画像４０、即ちＬＣＯＳ３０に表示される画像（画像記憶部１０に記憶されている画像データに基づく画像）を左右反転させる処理を行わない。一方、図９に示すように、プロジェクタ２がスクリーンＧ２の下方向に固定されていると判別された場合には、ＣＰＵ４は、投影領域Ｒ２に投影される投影画像４０、即ちＬＣＯＳ３０に表示される画像（画像記憶部１０に記憶されている画像データに基づく画像）を左右反転させる処理を行うよう、画像処理部１６に対して指示する。画像処理部１６は、ＣＰＵ４の指示に従い、画像を左右反転させる処理を行う。ＬＣＯＳ３０に表示される画像を左右反転像に切り替えることにより、鑑賞者Ａ〜Ｃは、スクリーンＧ２上に投影される投影画像４０を適切な状態（原画像が左右反転していない状態）で鑑賞することができる。
【００２９】
第２の実施の形態に係るプロジェクタによれば、略水平面に設置されたスクリーンＧ２と同一平面上に固定することができ、かつ加速度センサの検出結果に基づいて、ＬＣＯＳ３０に表示される画像を左右反転させるか否かを自動で切り替えることができる。
【００３０】
次に、本発明の第３の実施の形態に係るプロジェクタについて説明する。なお、第３の実施の形態に係るプロジェクタの構成については、第１の実施の形態に係るプロジェクタ２の構成（図１参照）から撮影レンズ１８を取り除き、撮像部１４に代えて照度センサを備えたものであるため、第１の実施の形態に係るプロジェクタ２と同一の構成についてはその説明を省略する。また、第３の実施の形態に係るプロジェクタの機能や動作については、第１の実施の形態に係るプロジェクタ２の構成と同一の構成には同一の符号を用いてその説明を行う。
【００３１】
また、第３の実施の形態に係るプロジェクタにおいては、筐体３の底面３ａが机上等の水平面に対して垂直方向に設置されるスクリーンＧの表面（図４参照）もしくはスクリーンＧの裏面（図５参照）に固定されているもの、または筐体３の底面３ａが机上等の水平面に設置されるスクリーンＧ２の上面（図８参照）もしくはスクリーンＧ２の下面（図９参照）に固定されているものとして説明を行う。プロジェクタ２（プロジェクタユニット６）は、筐体３の底面３ａと略同一平面であるスクリーンＧ，Ｇ２上の投影領域Ｒに投影画像４０の投影を行う。そして、第３の実施の形態に係るプロジェクタに設けられている照度センサは、筐体３の底面３ａ（プロジェクタ２の設置面）側の周囲の明るさ（照度）を検出する。
【００３２】
第３の実施の形態では、この照度センサによる検出結果に基づいてプロジェクタユニット６から投影される投影画像４０を左右反転させるか否かを判別し、必要に応じて画像処理部１６において投影画像４０の左右反転処理を行う。以下、第３の実施の形態に係るプロジェクタにおいて投影画像４０をスクリーンＧ，Ｇ２上の投影領域Ｒに投影する際の処理について説明する。
【００３３】
まず、ＣＰＵ４は、電源スイッチ８がオンされると、照度センサによる検出結果を取得する。例えば、スクリーンＧ，Ｇ２が白板等の高い光透過率を有さない反射型スクリーンであって、スクリーンＧの表面（図３参照）またはスクリーンＧ２の上面（図８参照）にプロジェクタ２（筐体３の底面３ａ）が固定されている場合には、照度センサは、所定値より低い値を検出する。一方、スクリーンＧ，Ｇ２が高い光透過率を有する透過型スクリーンであって、スクリーンＧの裏面（図４参照）またはスクリーンＧ２の下面（図９参照）にプロジェクタ２（筐体３の底面３ａ）が固定されている場合には、照度センサは、所定値以上の値を検出する。なお、所定値は、プロジェクタ２が反射型スクリーンに固定されていることを判別できる程度に低い（暗い）値に予め設定されている。即ち、照度センサの検出結果から、プロジェクタ２が反射型スクリーンに投影画像４０を投影しているか否か（フロント投射を行っているか否か）を判別することができる。
【００３４】
したがって、ＣＰＵ４は、照度センサにより所定値より低い値が検出され、プロジェクタ２によりフロント投射を行っていると判別した場合には、反射型スクリーン上に投影されるのに適した画像、即ちフロント投射用の画像がＬＣＯＳ３０に表示されるよう、画像処理部１６に対して指示する。一方、照度センサにより所定値より高い値が検出されプロジェクタ２によりリア投射を行っていると判別した場合には透過型スクリーンに投影されるのに適した画像、即ちリア投射用の画像がＬＣＯＳ３０に表示されるよう、画像処理部１６に対して指示する。画像処理部１６は、ＣＰＵ４の指示に従い画像を左右反転像に切り替える。
【００３５】
第３の実施の形態に係るプロジェクタによれば、水平面に対して略垂直方向または略水平面に設置されたスクリーンＧ，Ｇ２と同一平面上に固定することができ、かつ照度センサの検出結果に基づいて、ＬＣＯＳ３０に表示される画像を左右反転させるか否かを自動で切り替えることができる。
【００３６】
なお、第３の実施の形態においては、照度センサにより所定値より高い値が検出された場合にリア投射用の画像がＬＣＯＳ３０に表示されるよう画像の左右反転を切り替えているが、フロント投射かリア投射かを判別する所定値を複数記憶しておき、プロジェクタ２を設置する周囲の環境（明るさ）に応じて、その中の１つの所定値を用いてフロント投射を行っているかリア投射を行っているかを区別するようにしてもよい。
【符号の説明】
【００３７】
２…プロジェクタ、３…筐体、４…ＣＰＵ、６…プロジェクタユニット、８…電源スイッチ、１０…画像記憶部、１２…バッテリ、１４…撮像部、１６…画像処理部、１８…撮影レンズ。
【図１】
2011186097.tif 000003
【図２】
2011186097.tif 000004
【図３】
2011186097.tif 000005
【図４】
2011186097.tif 000006
【図５】
2011186097.tif 000007
【図６】
2011186097.tif 000008
【図７】
2011186097.tif 000009
【図８】
2011186097.tif 000010
【図９】
2011186097.tif 000011